(57)【要約】【課題】シール材の塗布に際してマスキングや仕上げを整える必要なく、短時間で容易に止水性を確保できると共に、止水状態を容易に確認可能な浴室天井構造を提供すること。【解決手段】天井パネル３と、天井パネル３の端部を支持する天井パネル支持部材５と、天井パネル３と天井パネル支持部材５との間をシールするシール材７と、を備える浴室天井構造であって、天井パネル支持部材５は、シール材７が収容可能であり、天井パネル３の端部が挿入される挿入溝部５６と、挿入溝部５６内に天井パネル３の端部が挿入された状態で、シール材７が、挿入溝部５６の内面と天井パネル３の端部との間に存在していることを目視確認可能な確認手段５７と、を有する。【選択図】図２
2019044348.tif 000002
【特許請求の範囲】
【請求項１】
天井パネルと、前記天井パネルの端部を支持する天井パネル支持部材と、前記天井パネルと前記天井パネル支持部材との間をシールするシール材と、を備える浴室天井構造であって、
前記天井パネル支持部材は、
前記シール材が収容可能であり、前記天井パネルの端部が挿入される挿入溝部と、
前記挿入溝部内に前記天井パネルの端部が挿入された状態で、前記シール材が、前記挿入溝部の内面と前記天井パネルの端部との間に存在していることを目視確認可能な確認手段と、を有する、浴室天井構造。
【請求項２】
前記確認手段は、前記シール材が前記挿入溝部の外に溢れ出たことを目視確認可能なシール材溢れ部である、請求項１に記載の浴室天井構造。
【請求項３】
前記シール材溢れ部は、前記天井パネルの上面側に配置される、請求項１又は２に記載の浴室天井構造。
【請求項４】
前記挿入溝部は、前記天井パネルの上面側に、前記シール材の逃げ空間部を有する、請求項１〜３のいずれか１項に記載の浴室天井構造。
【請求項５】
前記挿入溝部は、前記天井パネル支持部材の長さ方向に沿って前記天井パネルの下面と当接する突条部を有する、請求項１〜４のいずれか１項に記載の浴室天井構造。
【発明の詳細な説明】
【技術分野】
【０００１】
本発明は、浴室天井構造に関する。
【背景技術】
【０００２】
従来、図６に示す浴室天井構造がある。この浴室天井構造は、浴室の梁パネル１００に天井固定用金具２００を介して天井パネル支持部材３００が取り付けられ、この天井パネル支持部材３００によって天井パネル４００が支持されている。
【０００３】
天井固定用金具２００は、金具本体２０１の上端部及び下端部からそれぞれ屈曲形成された上端板部２０２、下端板部２０３を有する断面コ字型に形成されている。天井パネル支持部材３００は、支持部材本体３０１と、この支持部材本体３０１の下端部から突出する折り返し部３０２とを有している。天井パネル支持部材３００は、折り返し部３０２が天井固定用金具２００の下端板部２０３に嵌まり込むようにして天井固定用金具２００に装着され、ビス５００によって天井固定用金具２００と共に梁パネル１００に固定されている。
【０００４】
天井パネル支持部材３００は、長さ方向に延びる押さえリブ３０３を有している。押さえリブ３０３は、折り返し部３０２との間で、天井パネル４００が挿入される挿入溝部３０４を形成している。天井パネル４００の端部は、この挿入溝部３０４内に挿入され、折り返し部３０２上で支持されている。天井パネル４００と折り返し部３０２との境目の意匠面には、シリコン等のシール材６００が塗布され、両者間の止水性を確保している。
【先行技術文献】
【特許文献】
【０００５】
【特許文献１】特開２０１６−１４５４５９号公報
【発明の概要】
【発明が解決しようとする課題】
【０００６】
天井パネルと天井パネル支持部材との境目の意匠面に塗布されたシール材は、浴室内から目視可能であるため、表面をきれいに仕上げる必要がある。このため、シール材を塗布する際、マスキングテープを貼り付けたり、シール材の表面をヘラ等で拭って滑らかに整えたりする作業が必要となる。従って、従来の浴室天井構造は、天井パネルの施工時間が長くかかり、また、シール材を水漏れの発生なくきれいに仕上げるために熟練を要するという問題もある。
【０００７】
なお、特許文献１には、パネルが挿入される溝内にシール材を塗布しておき、パネルの挿入によって止水することが開示されている。シール材は溝内に塗布され、室内側からは目視されないため、仕上げをきれいに整える必要はない。しかし、パネルを溝内に挿入した状態ではシール材を確認することができないため、この特許文献１の開示技術では止水状態を確認することができないという問題が残る。
【０００８】
そこで、本発明は、シール材の塗布に際してマスキングや仕上げを整える必要なく、短時間で容易に止水性を確保することができると共に、止水状態を容易に確認可能な浴室天井構造を提供することを目的とする。
【課題を解決するための手段】
【０００９】
（１）  本発明に係る浴室天井構造は、天井パネル（例えば、後述の天井パネル３）と、前記天井パネルの端部（例えば、後述の端部３ｄ）を支持する天井パネル支持部材（例えば、後述の天井パネル支持部材５）と、前記天井パネルと前記天井パネル支持部材との間をシールするシール材（例えば、後述のシール材７）と、を備える浴室天井構造であって、前記天井パネル支持部材は、前記シール材が収容可能であり、前記天井パネルの端部が挿入される挿入溝部（例えば、後述の挿入溝部５６）と、前記挿入溝部内に前記天井パネルの端部が挿入された状態で、前記シール材が、前記挿入溝部の内面と前記天井パネルの端部との間に存在していることを目視確認可能な確認手段（例えば、後述のシール材溢れ部５７）と、を有するものである。
【００１０】
（２）  （１）に記載の浴室天井構造において、前記確認手段は、前記シール材が前記挿入溝部の外に溢れ出たことを目視確認可能なシール材溢れ部（例えば、後述のシール材溢れ部５７）であってもよい。
【００１１】
（３）  （１）又は（２）に記載の浴室天井構造において、前記シール材溢れ部は、前記天井パネルの上面（例えば、後述の上面３ａ）側に配置されるものであってもよい。
【００１２】
（４）  （１）〜（３）のいずれかに記載の浴室天井構造において、前記挿入溝部は、前記天井パネルの上面側に、前記シール材の逃げ空間部（例えば、後述の逃げ空間部５８）を有するものであってもよい。
【００１３】
（５）  （１）〜（４）のいずれかに記載の浴室天井構造において、前記挿入溝部は、前記天井パネル支持部材の長さ方向に沿って前記天井パネルの下面（例えば、後述する下面３ｂ）と当接する突条部（例えば、後述の突条部５９）を有するものであってもよい。
【発明の効果】
【００１４】
本発明によれば、シール材の塗布に際してマスキングや仕上げを整える必要なく、短時間で容易に止水性を確保することができると共に、止水状態を容易に確認可能な浴室天井構造を提供することができる。
【図面の簡単な説明】
【００１５】
【図１】本発明に係る浴室天井構造を示す部分断面図である。
【図２】本発明に係る浴室天井構造における要部断面図である。
【図３】本発明に係る浴室天井構造に使用される天井パネル支持部材を断面で示す斜視図である。
【図４】本発明に係る浴室天井構造の施工方法を説明する図である。
【図５】本発明に係る浴室天井構造の施工方法を説明する図である。
【図６】従来の浴室天井構造の要部断面図である。
【発明を実施するための形態】
【００１６】
以下、本発明の実施形態について図面を参照して詳細に説明する。
図１は、本発明に係る浴室天井構造を示す部分断面図である。図２は、本発明に係る浴室天井構造における要部断面図である。図３は、本発明に係る浴室天井構造に使用される天井パネル支持部材を断面で示す斜視図である。
本実施形態に示す浴室天井構造は、ユニット式浴室に用いられる天井構造の一例を示している。この浴室天井構造において、浴室壁パネル１の上端部に梁型パネル２が取り付けられ、この梁型パネル２の上端部に天井パネル３が取り付けられている。
【００１７】
梁型パネル２は、下面梁パネル２１と側面梁パネル２２とが直角に連結されることによってＬ字型に形成され、ブラケット２１ａ、２２ａによって、図示しない浴室の枠体等に固定されている。梁型パネル２の下面梁パネル２１の端部には、梁パネル支持部材２３が取り付けられている。また、浴室壁パネル１の上端部に、梁型パネル固定用金具１１が取り付けられている。梁型パネル２は、梁型パネル固定用金具１１に梁パネル支持部材２３が保持されることによって、浴室壁パネル１と連結されている。
【００１８】
天井パネル３は、天井固定用金具４及び天井パネル支持部材５を介して、梁型パネル２の側面梁パネル２２の上端部に取り付けられている。
【００１９】
天井固定用金具４は、金具本体４１と、上端板部４２と、下端板部４３とを有している。金具本体４１は、側面梁パネル２２の表面に配置されている。上端板部４２は、金具本体４１の上端部から屈曲形成されている。下端板部４３は、金具本体４１の下端部から屈曲形成されている。これにより、天井固定用金具４は、断面コ字型に形成されている。
【００２０】
天井パネル支持部材５は、図２、図３に示すように、支持部材本体５１と、折り返し部５２とを有している。支持部材本体５１は、平板状に形成されている。折り返し部５２は、支持部材本体５１の下端部から側方に向けて突出するように設けられている。支持部材本体５１と折り返し部５２は長さ方向に連続して延びている。
【００２１】
折り返し部５２は、上面板部５２ａと、下面板部５２ｂとを有している。上面板部５２ａは、支持部材本体５１の下端部から側方に向けて張り出すように形成されている。下面板部５２ｂは、上面板部５２ａの先端部から再び支持部材本体５１側に折り返されることによって形成されている。上面板部５２ａと下面板部５２ｂの間には、天井固定用金具４の下端板部４３を挿入するためのスリット状の装着溝部５３が形成されている。
【００２２】
折り返し部５２の先端には、天井パネル３の下面（パネル表面）３ｂに弾性的に接触してシールする止水パッキン５４が設けられている。天井パネル支持部材５は、この装着溝部５３内に天井固定用金具４の下端板部４３を挿入させ、ビス６によって、天井固定用金具４と共に側面梁パネル２２に固定されている。
【００２３】
天井パネル支持部材５は、押さえリブ５５を有している。押さえリブ５５は、支持部材本体５１から側方に突出するように形成されている。押さえリブ５５は、突出板部５５ａと、側板部５５ｂと、押さえ板部５５ｃとによって構成され、長さ方向に連続して延びている。
【００２４】
突出板部５５ａは、支持部材本体５１の表面の部位から側方に向けて突出している。突出板部５５ａは、支持部材本体５１の高さ方向（図２中の上下方向）の中央部付近であり、折り返し部５２の上面板部５２ａに対して天井パネル３の厚みよりも大きな間隔をおいた位置に配置されている。支持部材本体５１の表面からの突出板部５５ａの突出高さ（図２中の横方向の長さ）は、支持部材本体５１の表面からの折り返し部５２の突出高さよりも十分に小さい。
【００２５】
側板部５５ｂは、突出板部５５ａの先端から折り返し部５２に向けて下方に屈曲するように一体に形成されている。側板部５５ｂの下方に向かう長さは、折り返し部５２の上面板部５２ａとの間に天井パネル３の厚み分よりもやや大きな距離をあける程度の長さとなっている。
【００２６】
押さえ板部５５ｃは、側板部５５ｂの下端から側方且つやや下方に向けて突出している。押さえ板部５５ｃの先端は、天井パネル３の上面（パネル裏面）３ａに弾性的に接触し得るように配置されている。
【００２７】
天井パネル支持部材５は、折り返し部５２と押さえリブ５５との間に、天井パネル３の端部３ｄを挿入して支持するための挿入溝部５６を形成している。また、天井パネル支持部材５は、支持部材本体５１と押さえリブ５５の突出板部５５ａと側板部５５ｂとによって、シール材７の逃げ空間部５８を形成している。
【００２８】
天井パネル３の端部３ｄは、この挿入溝部５６内に挿入され、折り返し部５２の上面板部５２ａと押さえリブ５５の押さえ板部５５ｃとの間に挟み付けられた状態で支持されている。挿入溝部５６内には、図２に示すように、天井パネル３の端部３ｄをシールするための、例えばシリコンからなるシール材７が収容されている。挿入溝部５６内のシール材７は、支持部材本体５１と天井パネル３の端部３ｄとの間から、逃げ空間部５８内に侵入している。
【００２９】
押さえリブ５５の突出板部５５ａには、挿入溝部５６の内部と外部を連通する貫通穴からなるシール材溢れ部５７が形成されている。本実施形態に示すシール材溢れ部５７は長穴状に形成されているが、穴形状は問わず、例えば丸穴、角穴、スリット状の穴等であってもよい。シール材溢れ部５７は、天井パネル支持部材５の長さ方向に所定の間隔をおいて、突出板部５５ａに複数形成されている。
【００３０】
シール材７は、挿入溝部５６の内面と、この挿入溝部５６に挿入された天井パネル３の端部３ｄとの間に充満するように存在し、挿入溝部５６内に配置される天井パネル３の端部３ｄを水密状に保持している。シール材７は、天井パネル３の端面３ｃと支持部材本体５１との間から逃げ空間部５８内に侵入し、更に、シール材７の一部が、突出板部５５ａに形成されたシール材溢れ部５７から挿入溝部５６の外部に溢れ出ている。このため、シール材溢れ部５７から溢れ出たシール材７ａを目視確認することによって、挿入溝部５６に確実にシール材７が塗布され、天井パネル３の端部３ｄの周辺が止水された状態であることが、容易に確認可能となっている。このシール材溢れ部５７は、本発明の「確認手段」の一例である。
【００３１】
なお、天井パネル３の端部３ｄにおけるシール材７は、天井パネル３の端面３ｃから上面３ａにかけて接触するように存在している。従って、シール材７が存在する天井パネル３の端部３ｄは、天井パネル３の端面３ｃと上面３ａの両方を含む。
【００３２】
挿入溝部５６内において、天井パネル３の下面３ｂを支持する折り返し部５２の上面板部５２ａに、突条部５９が形成されている。突条部５９は、押さえリブ５５の側板部５５ｂの下方に位置し、長さ方向に沿って延びるように形成され、挿入溝部５６内に挿入された天井パネル３の下面３ｂに当接している。挿入溝部５６内のシール材７は、この突条部５９よりも支持部材本体５１側に収容されており、突条部５９よりも折り返し部５２の先端側にはみ出していない。
【００３３】
次に、天井パネル支持部材５に天井パネル３を取り付ける方法について、更に図４、図５を用いて説明する。
先ず、天井パネル支持部材５の挿入溝部５６内にシール材７が塗布される（図４）。シール材７は、挿入溝部５６内の奥側に、天井パネル支持部材５の長さ方向に沿って十分な量で塗布される。このとき、折り返し部５２の上面板部５２ａの突条部５９は、シール材７を塗布する目安として機能することができる。即ち、この突条部５９よりも挿入溝部５６内の奥側にシール材７を塗布することにより、次工程で挿入溝部５６内に天井パネル３の端部３ｄが挿入された際、シール材７が浴室側に漏れ出すことを防止することができると同時に、挿入溝部５６内に必要十分な量のシール材７が塗布されたことを確認することができる。
【００３４】
次いで、シール材７が塗布された挿入溝部５６内に天井パネル３の端部３ｄが挿入される（図５）。これにより、シール材７は、天井パネル３の端面３ｃと支持部材本体５１との間で押し潰される。押し潰されたシール材７の大部分は上方に向かい、天井パネル３の上面３ａと逃げ空間部５８内に侵入する。
【００３５】
更に天井パネル３が挿入溝部５６内の奥まで挿入され、天井パネル３の装着が完了すると、シール材７は最も押し潰され、逃げ空間部５８内からシール材溢れ部５７を通って外部に溢れ出し、溢れ出たシール材７ａがシール材溢れ部５７から突出する（図２）。このとき、挿入溝部５６内の天井パネル３の端部３ｄは、端面３ｃから上面３ａにかけてシール材７で覆われ、確実に止水された状態となっている。
【００３６】
このように、本実施形態に示す浴室天井構造によれば、シール材７が天井パネル支持部材５の挿入溝部５６内に収容されるため、外部から目視されることはない。このため、シール材７の塗布に際してマスキングや仕上げを整える必要はない。また、シール材７は、挿入溝部５６内に収容されるように塗布するだけでよいため、熟練を要することなく、短時間で容易に止水作業を行うことができる。従って、天井パネル３を挿入するだけの簡単な作業によって、容易に止水性を確保できる。しかも、作業者が天井パネル３の裏側を覗いてシール材溢れ部５７から溢れ出たシール材７ａを目視するだけで、挿入溝部５６内に十分なシール材７が塗布されたことを確認できるため、止水状態の確認が容易である。よって、本実施形態に示す浴室天井構造によれば、確実に止水された浴室天井構造を簡単に構築することができる。
【００３７】
また、天井パネル３が挿入溝部５６内に挿入された際、突条部５９が天井パネル３の下面３ｂに当接し、該下面３ｂと折り返し部５２の上面板部５２ａとの間を密閉するので、シール材７が下面３ｂと上面板部５２ａとの間から浴室内に漏れ出ることを確実に防止することができる。
【００３８】
更に、挿入溝部５６は、天井パネル３の上面３ａ側に、シール材７の逃げ空間部５８を有していることにより、天井パネル３の端部３ｄが挿入された挿入溝部５６内に十分な量のシール材７を収容することができ、止水性をより高めることができる。しかも、シール材溢れ部５７は、この逃げ空間部５８に対応した位置に配置され、逃げ空間部５８と連通しているため、天井パネル３の挿入後でも、逃げ空間部５８内に十分な量のシール材７が充填されたことを容易に確認可能である。
【００３９】
以上説明したシール材溢れ部５７は、押さえリブ５５の突出板部５５ａに配置されているが、これに限らない。例えば、シール材溢れ部５７は、押さえリブ５５の側板部５５ｂに形成されてもよい。
【００４０】
また、シール材溢れ部は、押さえリブ５５の押さえ板部５５ｃと天井パネル３の上面３ａとの間からシール材７の一部が溢れ出る構成であってもよい。例えば、シール材溢れ部は、押さえ板部５５ｃと天井パネル３の上面３ａとの隙間を部分的に大きくした溝によって形成することができる。このような溝からなるシール材溢れ部が、押さえ板部５５ｃの長さ方向に間隔をおいて複数形成されることにより、シール材７が天井パネル３の上面３ａに溢れ出るので、上記同様の効果が得られる。
【００４１】
また、本発明における確認手段は、以上説明したシール材溢れ部に限らない。確認手段は、天井パネル３の端部３ｄに押されたシール材７が、挿入溝部５６の内面と天井パネル３の端部３ｄとの間に存在していることを目視確認可能な構成を有するものであればよい。従って、確認手段は、例えば、内部を透視可能な透明部又は半透明部を、押さえリブ５５の少なくとも一部に形成することによって構成されてもよい。
【００４２】
更に、天井パネル支持部材５に天井パネル３を取り付ける際、予めシール材７を天井パネル支持部材５の挿入溝部５６内に塗布する方法に代えて、天井パネル３の端部３ｄにシール材を塗布し、このシール材付きの天井パネル３を天井パネル支持部材５の挿入溝部５６内に挿入するようにしてもよい。
【００４３】
なお、本実施形態に示す梁型パネル２の下面梁パネル２１も、浴室の天井の一部を構成しており、天井パネルであるということができる。従って、図示しないが、この下面梁パネル２１を浴室壁パネル１に対して取り付ける梁パネル支持部材２３にも、上述した天井パネル支持部材５と同一の構成を適用することができる。これにより、下面梁パネル２１の取付け構造においても上記同様の効果を奏することができる。
【００４４】
また、本発明に係る浴室天井構造は、梁型パネル２に対して天井パネル３が取り付けられる構造に限らず、図示しないが、浴室の壁パネルの上端部に対して天井パネル３が取り付けられる構造にも同様に適用することができる。
【符号の説明】
【００４５】
２  下面梁パネル
３  天井パネル
３ａ  天井パネルの上面
３ｂ  天井パネルの下面
３ｄ  天井パネルの端部
５  天井パネル支持部材
５６  挿入溝部
５７  シール材溢れ部（確認手段）
５８  逃げ空間部
５９  突条部
７  シール材
【図１】
2019044348.tif 000003
【図２】
2019044348.tif 000004
【図３】
2019044348.tif 000005
【図４】
2019044348.tif 000006
【図５】
2019044348.tif 000007
【図６】
2019044348.tif 000008